(57)【要約】【目的】電気コネクタ部内に、金属板材を曲折して形成した取付部材を配設し、この取付部材の内部に電磁波発生部品を収納した場合に、電磁波発生部品から生じる電磁波を確実にシールドできるとともに、シールド部材の製作が容易な電子内視鏡の電気コネクタ部のシールド構造を提供する。【構成】プロセッサに接続可能な電気コネクタ部を備え、該電気コネクタ部のケーシングの内部に電磁波発生部品を収納した電子内視鏡において、上記電磁波発生部品を取り付ける、金属板材を曲折して形成した取付部材を設け、上記取付部材及び該取付部材に固定した電磁波発生部品の外囲と、これらを収納する上記ケーシングの内面との少なくとも一方に、金属製不織布からなる可撓シールド材料を配置したことを特徴とする電子内視鏡の電気コネクタ部のシールド構造。【選択図】      図５
2004275495.tif 000002
【特許請求の範囲】
【請求項１】
プロセッサに接続可能な電気コネクタ部を備え、該電気コネクタ部のケーシングの内部に電磁波発生部品を収納した電子内視鏡において、
上記電磁波発生部品を取り付ける、金属板材を曲折して形成した取付部材を設け、上記取付部材及び該取付部材に固定した電磁波発生部品の外囲と、これらを収納する上記ケーシングの内面との少なくとも一方に、金属製不織布からなる可撓シールド材料を配置したことを特徴とする電子内視鏡の電気コネクタ部のシールド構造。
【請求項２】
請求項１記載の電子内視鏡の電気コネクタ部のシールド構造において、上記取付部材及び該取付部材に固定した電磁波発生部品を囲む可撓シールド材料による囲繞体と、上記ケーシングとの間に生じる隙間に、金属製不織布からなる充填用シールド材料を介在させた電子内視鏡の電気コネクタ部のシールド構造。
【請求項３】
請求項１記載の電子内視鏡の電気コネクタ部のシールド構造において、上記取付部材及び該取付部材に固定した電磁波発生部品と、上記ケーシングの内面に配置された可撓シールド材料との間に生じる隙間に、金属製不織布からなる充填用シールド材料を介在させた電子内視鏡の電気コネクタ部のシールド構造。
【請求項４】
請求項１記載の電子内視鏡の電気コネクタ部のシールド構造において、上記取付部材及び該取付部材に固定した電磁波発生部品を囲む可撓シールド材料による囲繞体と、上記ケーシングの内面に配置された可撓シールド材料との間に生じる隙間に、金属製不織布からなる充填用シールド材料を介在させた電子内視鏡の電気コネクタ部のシールド構造。
【請求項５】
請求項１乃至４のいずれか１項記載の電子内視鏡の電気コネクタ部のシールド構造において、上記電磁波発生部品が電気基板である電子内視鏡の電気コネクタ部のシールド構造。
【発明の詳細な説明】
【０００１】
【技術分野】
本発明は、電子内視鏡の電気コネクタ部のシールド構造に関する。
【０００２】
【従来技術およびその問題点】
電子内視鏡は、体腔内に挿入される挿入部と、挿入部に連なる操作部と、操作部から延出するユニバーサルチューブとを具備しており、ユニバーサルチューブの操作部と反対側の端部には、電子内視鏡とは別体のプロセッサに着脱自在に接続される電気コネクタ部が設けられている。そして、この電気コネクタ部の内部には電気基板などの電磁波発生部材が配設されている。
【０００３】
ところで、近年、電気機器の内部の電磁波発生部材から生じる電磁波を、いかに電気機器の外部に漏れないようにシールドするかが大きな問題となっており、電子内視鏡の電気コネクタ部についても、従来から電磁波をシールドするための工夫が試みられていた。
そのため、例えば特許文献１では、電気コネクタ部の外形を構成するケーシングの内側に、金属板を箱状に曲折加工した、電磁波シールド効果を有する取付部材を設け、さらに、この取付部材の内部に電磁波発生部品を配設して、電磁波発生部品から発生した電磁波が、電気コネクタ部の外部に漏出しないように工夫している。
【０００４】
しかし、取付部材の元となる金属板の数カ所には、曲折加工をし易くするための切欠が予め設けられているため、金属板を曲折加工して箱状の取付部材を形成すると、必ず上記の切欠が隙間として取付部材に残ってしまうため、この隙間を通って電磁波が電気コネクタ部の外部に漏れるおそれがあった。
また、金属板の曲折加工作業は容易でないため、取付部材の製作が面倒であるという問題もあった。
【０００５】
さらに、この隙間を別の金属板で塞ぐようにすると、電気コネクタ部が重量化するとともに、取付部材の製作がさらに面倒になってしまう。
さらに、ケーシングはプラスチック等の比較的柔らかい材料から成形されるのが一般的であるため、大きな外力を受けると変形するおそれが大きかった。
【０００６】
【発明の目的】
本発明は、電気コネクタ部内に、金属板材を曲折して形成した取付部材を配設し、この取付部材の内部に電磁波発生部品を収納した場合に、電磁波発生部品から生じる電磁波を確実にシールドできるとともに、シールド部材の製作が容易な電子内視鏡の電気コネクタ部のシールド構造を得ることを目的とする。
【０００７】
【発明の概要】
本発明の電子内視鏡の電気コネクタ部のシールド構造は、プロセッサに接続可能な電気コネクタ部を備え、該電気コネクタ部のケーシングの内部に電磁波発生部品を収納した電子内視鏡において、上記電磁波発生部品を取り付ける、金属板材を曲折して形成した取付部材を設け、上記取付部材及び該取付部材に固定した電磁波発生部品の外囲と、これらを収納する上記ケーシングの内面との少なくとも一方に、金属製不織布からなる可撓シールド材料を配置したことを特徴としている。
【０００８】
上記取付部材及び該取付部材に固定した電磁波発生部品を囲む可撓シールド材料による囲繞体と、上記ケーシングとの間に生じる隙間に、金属製不織布からなる充填用シールド材料を介在させるのが好ましい。
【０００９】
また、上記取付部材及び該取付部材に固定した電磁波発生部品と、上記ケーシングの内面に配置された可撓シールド材料との間に生じる隙間に、金属製不織布からなる充填用シールド材料を介在させてもよい。
【００１０】
また、上記取付部材及び該取付部材に固定した電磁波発生部品を囲む可撓シールド材料による囲繞体と、上記ケーシングの内面に配置された可撓シールド材料との間に生じる隙間に、金属製不織布からなる充填用シールド材料を介在させることも可能である。
【００１１】
一般的には、電気コネクタ部の内部に配設された電気基板が、電磁波を発生する電磁波発生部品として問題になることが多いが、本発明によれば、電気基板から発生する電磁波を効果的にシールドすることが可能となる。
【００１２】
【発明の実施の形態】
以下、本発明の第１の実施形態について、図１乃至図５を参照しながら説明する。
まず、図１に基づいて、本発明の対象とする内視鏡の構成例を説明する。図１に示す内視鏡は医療用の電子内視鏡１０であり、体腔内に挿入される挿入部１１とその基部側に接続された操作部１２を有している。挿入部１１は、先端側から順に先端部１３、湾曲部１４及び可撓管部１５を有しており、さらに可撓管部１５が連結部１６を介して操作部１２に接続している。操作部１２からはユニバーサルチューブ１７が延設されており、該ユニバーサルチューブ１７の末端に設けた電気コネクタ部１８は、内視鏡本体とは別体のプロセッサ（図示略）に着脱可能となっている。
【００１３】
挿入部１１のうち、可撓管部１５は柔軟で可撓性を有している。周知のように、操作部１２に設けた湾曲操作ノブ１２ａを回動操作することによって、湾曲部１４が湾曲される。
【００１４】
先端部１３は硬性部材により構成されており、該先端部１３には、対物レンズ、配光レンズ（照明窓）、処置具挿通チャンネル出口、副送水チャンネル出口、送気ノズル、及び送水ノズル（いずれも図示略）等が形成されている。
【００１５】
連結部１６には、鉗子や高周波焼灼処置具といった処置具（図示略）を挿入するための処置具挿入口突起１９が設けられており、該処置具挿入口突起１９から電子内視鏡１０内方に向けて、先端部１３に形成した出口へ接続する処置具挿通チューブ（図示略）が延設されている。この処置具挿通チューブの先端部は、上述した処置具挿通チャンネル出口に接続しており、さらに、処置具挿通チューブの中間部には、吸引チューブ２０の一端が接続されており、図２に示すように、吸引チューブ２０の他端は、電気コネクタ部１８に設けられた吸引用口金２１に接続されている。図示は省略してあるが、吸引用口金２１には、常時、負圧源が接続している。
【００１６】
操作部１２に設けた吸引ボタン２２を押圧しない状態では、例えば、処置具挿入口突起１９から鉗子などの処置具を挿入させ、処置具挿通チューブを通して処置具挿通チャンネル出口から突出させることができる。
一方、処置具挿通チューブを吸引用の管路として使用するときには、吸引ボタン２２を押圧する。すると、負圧源の負圧が吸引チューブ２０を介して処置具挿通チューブまで及ぶようになる。したがって、先端部１３に設けられた処置具挿通チャンネル出口から、体液等の流体を吸引することができる。
【００１７】
さらに、電子内視鏡１０の内部には、挿入部１１の先端部１３から電気コネクタ部１８にかけて、送気チューブ２３と送水チューブ２４が配設されており、送気チューブ２３と送水チューブ２４の出口側端部は、それぞれ上述の送気ノズルと送水ノズルに接続している。送気チューブ２３と送水チューブ２４の入口側端部は電気コネクタ部１８に設けられた送気用口金２５と送水用口金２６にそれぞれ接続している（図２参照）。
送水用口金２６には送水パイプ（図示略）の一端が接続されており、この送水パイプの他端が、送水ボトル（図示略）内の水中に位置している。また、送気用口金２５には送気パイプ（図示略）の一端が接続しており、この送気パイプの他端は、上記送水ボトルの空気溜まり内に位置しており、この空気溜まりには圧縮空気源（図示略）が接続しており、空気溜まりを介して、圧縮空気源から送気チューブ２３内に常時、圧縮空気を送っている。さらに、送気チューブ２３と送水チューブ２４の中間部は、操作部１２に設けた送気送水シリンダ（図示略）に接続しており、この送気送水シリンダには、端面に逃がし孔が穿設された送気送水ボタン２７が摺動自在に嵌合している。
術者が指で送気送水ボタン２７の逃がし孔を塞ぐと、圧縮空気が送気ノズルから噴射され、指で逃がし孔を塞いだまま送気送水ボタン２７を送気送水シリンダ内に押し込むと、送気ノズルから水が噴射され、対物レンズの表面が洗浄される。
【００１８】
また、電気コネクタ部１８には、副送水を注入するための副送水注入用口金２８が設けられている。副送水注入用口金２８は、電子内視鏡１０の内部を貫通する副送水チューブ２９の後端部に接続している。副送水注入用口金２８には図示しない副送水送出源から延びるチューブが接続可能である。よって、副送水チューブ２９を通して先端部１３へ副送水を送ることができる。副送水とは、上述した送水チューブ２４による送水とは別に、先端部１３から観察対象へ向けて射出される液体であり、観察対象の洗浄や染色に用いられる。
【００１９】
また、先端部１３の配光レンズには、ユニバーサルチューブ１７の電気コネクタ部１８のライトガイドから挿入部１１の先端部１３まで配設されたライトガイドファイババンドル（図示略）を介して、プロセッサに設けた光源からの照明光が与えられる。
【００２０】
対物レンズで結像された観察像は、先端部１３内に配設されたＣＣＤ（図示略）からユニバーサルチューブ１７の電気コネクタ部１８まで配設された画像信号伝送用ケーブル（図示略）を介して、電子画像信号としてプロセッサの画像処理装置に送られる。プロセッサでは、電子画像をモニタに表示したり画像記録媒体に記録することができる。操作部１２には、画像処理関連の遠隔操作を行うための複数のリモート操作ボタンスイッチ３０が設けられている。
【００２１】
次に、電気コネクタ部１８の構成について詳しく説明する。
図２に示すように、ユニバーサルチューブ１７の内部の後端部に固定された固定金具３１には、ねじ３２により箱状の固定金具３３が固定されており、この固定金具３３には、上述した吸引用口金２１、送気用口金２５、及び送水用口金２６が固定されている。さらに、図２乃至図４に示すように、固定金具３３には、箱状の取付金具（取付部材）３４の一端部がねじ３５により固定されている。取付金具３４は、電磁波シールド機能を有する金属板を曲折して形成した、一面が開口するものであり、平面視方形をなす取付部３４ａの前端と後端に、それぞれ取付部３４ａに対して直交する前板３４ｂと後板３４ｃとを具備し、さらに、左右両側部に一対の側板３４ｄ、３４ｅを具備するものであり、前板３４ｂが固定金具３３に固定されている。この取付金具３４の取付部３４ａの内面には電気基板Ｐ等の電磁波発生部品が固定されている。取付金具３４の後板３４ｃには、プラスチック製の端部蓋３６が固着されており、この端部蓋３６からは、プロセッサに接続されるコネクタプラグ３７と、プロセッサの光源に接続されるライトガイド３８が突設されている。コネクタプラグ３７の内部には、上述した画像信号伝送用ケーブルが挿通しており、ライトガイド３８の内部には、上述したライトガイドファイババンドルが挿通している。
【００２２】
取付金具３４の外周面には、電磁波シールド効果を有する金属製不織布（可撓シールド材料）Ｓ１が密着状態で巻回されており、金属製不織布Ｓ１の前後両縁部が、前板３４ｂと後板３４ｃの周面部に密着している（図４参照）。さらに、金属製不織布Ｓ１の先端部は、金属製不織布Ｓ１の中間部に止着されている。
さらに、取付金具３４（及び金属製不織布Ｓ１）と固定金具３３の周囲には、プラスチック製のケーシング４０が被せられており、ケーシング４０の後端開口部４０ａは、端部蓋３６に隙間の無い状態で嵌合固定され、ケーシング４０の前端開口部４０ｂはユニバーサルチューブ１７の後端部に、隙間の無い状態で嵌合固定されている。このケーシング４０には、吸引用口金２１、送気用口金２５、副送水用口金２８、及び帰還端子４１が嵌合固定された複数の貫通孔４０ｃが設けられている。
【００２３】
このように本実施形態では、電磁波シールド効果を有する取付金具３４の周囲を、同じく電磁波シールド効果を有する金属製不織布Ｓ１で覆い、金属製不織布Ｓ１と、取付金具３４の前板３４ｂ及び後板３４ｃの隙間を無くしているので、前板３４ｂ及び後板３４ｃと側板３４ｄ、３４ｅとの間に隙間が生じていても、ケーシング４０の外部に電磁波が漏れることはなく、電磁波発生部品から発生する電磁波を完全にシールドすることができる。
【００２４】
さらに、金属製不織布Ｓ１は柔軟であるので、取付金具３４への巻回作業は容易であり、しかも、金属製不織布Ｓ１を取付金具３４に装着する際にねじは不要なので、金属製不織布Ｓ１を取付金具３４に簡単に取り付けることができる。
【００２５】
次に、本発明の第２の実施形態について、図６を参照しながら説明する。
なお、第１の実施形態と同じ部材には同じ符号を付すに止め、その詳細な説明は省略する。
本実施形態の金属製不織布（可撓シールド材料）Ｓ２の前後幅（電気コネクタ部１８の軸線方向の長さ）は、第１の実施形態の金属製不織布Ｓ１より若干長くなっており、金属製不織布Ｓ２の前後両縁部が、取付金具３４の前板３４ｂの前面の一部と、後板３４ｃの後面の一部とに被さっている。このため、第１の実施形態の金属製不織布Ｓ１に比べて、金属製不織布Ｓ２による電磁波シールド効果がより高くなっている。
【００２６】
次に、本発明の第３の実施形態について、図７及び図８を参照しながら説明する。
なお、第１の実施形態と同じ部材には同じ符号を付すに止め、その詳細な説明は省略する。
本実施形態では、ケーシング４０の内周面全体に、各貫通孔４０ｃを避けるようにして、金属製不織布（可撓シールド材料）Ｓ３を貼着してあり、さらに図８に示すように、金属製不織布Ｓ３と取付金具３４との隙間に、金属製不織布（充填用シールド材料）Ｓ４、Ｓ５、Ｓ６、Ｓ７が詰め込まれており、各金属製不織布Ｓ４、Ｓ５、Ｓ６、Ｓ７を金属製不織布Ｓ３と取付金具３４とに圧接している。
【００２７】
このように、ケーシング４０の内周面全体に金属製不織布Ｓ３を貼着しても、第１の実施形態と同様に、電磁波がケーシング４０の外部に漏れるのを防止できる。
【００２８】
さらに、ケーシング４０の内周面全体に貼着された金属製不織布Ｓ３と取付金具３４との間に詰め込んだ金属製不織布Ｓ４、Ｓ５、Ｓ６、Ｓ７が、電磁波をシールドするだけでなく、ケーシング４０を強度的に補強する役割を果たしているので、ケーシング４０は外部からの圧力に対して変形しにくくなっている。
【００２９】
最後に、第４の実施形態について、図９を参照しながら説明する。
なお、第１の実施形態と同じ部材には同じ符号を付すに止め、その詳細な説明は省略する。
本実施形態では、第１の実施形態と同様に、取付金具３４の周囲に金属製不織布Ｓ１を巻回するとともに、ケーシング４０の内周面に金属製不織布Ｓ３を貼着してあり、さらに、両金属製不織布Ｓ１、Ｓ３の隙間に、両金属製不織布Ｓ１、Ｓ３に圧接する金属製不織布（充填用シールド材料）Ｓ８、Ｓ９を詰め込んでいる。
【００３０】
このように本実施形態では、取付金具３４の周囲に金属製不織布Ｓ１を巻くとともに、ケーシング４０の内周面に別の金属製不織布Ｓ３を貼着しているので、第１乃至第３の実施形態に比べて、電磁波シールド効果がより高くなっており、さらに、第３の実施形態と同様に、ケーシング４０は外部からの圧力に対して変形しにくくなっている。
【００３１】
【発明の効果】
本発明によれは、電気コネクタ部内に、金属板材を曲折して形成した取付部材を配設し、この取付部材の内部に電磁波発生部品を収納した場合に、電磁波発生部品から生じる電磁波を確実にシールドできるとともに、シールド部材を容易に製作できるようになる。
【図面の簡単な説明】
【図１】本発明の電子内視鏡の第１の実施形態を示す外観図である。
【図２】図１のＩＩ−ＩＩ線に沿う拡大縦断平面図である。
【図３】電気コネクタ部の未完成状態の分解斜視図である。
【図４】電気コネクタ部の分解斜視図である。
【図５】図１のＶ−Ｖ線に沿う、一部の部品の図示を省略した、電気コネクタ部の拡大縦断正面図である。
【図６】本発明の第２の実施形態の、図２と同様の拡大縦断平面図である。
【図７】本発明の第３の実施形態のケーシングの拡大斜視図である。
【図８】図５と同様の電気コネクタ部の拡大縦断正面図である。
【図９】本発明の第４の実施形態の図５と同様の電気コネクタ部の拡大縦断正面図である。
【符号の説明】
１０    電子内視鏡
１１    挿入部
１２    操作部
１２ａ  湾曲操作ノブ
１３    先端部
１４    湾曲部
１５    可撓管部
１７    ユニバーサルチューブ
１８    電気コネクタ部
１９    処置具挿入口突起
２０    吸引チューブ
２１    吸引用口金
２２    吸引ボタン
２３    送気チューブ
２４    送水チューブ
２５    送気用口金
２６    送水用口金
２７    送気送水ボタン
２８    副送水注入用口金
２９    副送水チューブ
３０    リモート操作ボタンスイッチ
３１    固定金具
３２    ねじ
３３    固定金具
３４    取付金具（取付部材）
３４ａ  取付部
３４ｂ  前板
３４ｃ  後板
３４ｄ  側板
３４ｅ  側板
３５    ねじ
３６    端部蓋
３７    コネクタプラグ
３８    ライトガイド
４０    ケーシング
４０ａ  後端開口部
４０ｂ  前端開口部
４０ｃ  貫通孔
４１    帰還端子
Ｓ１  Ｓ２  Ｓ３  金属製不織布（可撓シールド材料）
Ｓ４  Ｓ５  Ｓ６  Ｓ７  Ｓ８  Ｓ９  金属製不織布（充填用シールド材料）
Ｐ      電気基板（電磁波発生部品）
【図１】
2004275495.tif 000003
【図２】
2004275495.tif 000004
【図３】
2004275495.tif 000005
【図４】
2004275495.tif 000006
【図５】
2004275495.tif 000007
【図６】
2004275495.tif 000008
【図７】
2004275495.tif 000009
【図８】
2004275495.tif 000010
【図９】
2004275495.tif 000011